(57)【要約】【課題】ブラシホルダ部の構成を簡単にして、ブラシをブラシホルダ部に確実に保持することができるようにする。【解決手段】一端が開口した筒状のモータハウジング２と、モータハウジング２の一端を閉塞するエンドキャップ３と、モータハウジング２内において回転軸４と共に一体に回転する整流子５の外周面に弾性的に接触するブラシ６と、ノイズを抑制するノイズ防止回路を実装したプリント基板７を備える。エンドキャップ３に、ブラシ６を摺動自在に保持するためのモータハウジングの内部を向く側が開口した溝状のブラシホルダ部９を設ける。プリント基板７を、その平面が回転軸４の軸線方向と直交し、かつその平面にブラシホルダ部９に摺動自在に保持されたブラシ６が摺接し得るように、モータハウジング２内に配置する。  【選択図】  図２
2008178249.tif 000002
【特許請求の範囲】
【請求項１】
一端が開口した筒状のモータハウジングと、前記モータハウジングの一端を閉塞するエンドキャップと、前記モータハウジング内において回転軸と共に一体に回転する整流子の外周面に弾性的に接触するブラシと、ノイズを抑制するノイズ防止回路を実装したプリント基板を備えた直流モータにおいて、
前記エンドキャップに、前記ブラシを摺動自在に保持するための前記モータハウジングの内部を向く側が開口した溝状のブラシホルダ部を設けるとともに、前記プリント基板を、その平面が前記回転軸の軸線方向と直交し、かつその平面にブラシホルダ部に摺動自在に保持された前記ブラシが摺接し得るように、前記モータハウジング内に配置したことを特徴とする直流モータ。
【請求項２】
前記プリント基板に、前記整流子が前記回転軸と共に貫通する円形の開口部を設けるとともに、前記ノイズ防止回路を、前記整流子の周辺に配置したことを特徴とする請求項１記載の直流モータ。
【請求項３】
前記プリント基板の前記ブラシに対向する平面に、前記ノイズ防止回路及びプリント配線を一切設けないことを特徴とする請求項１または２記載の直流モータ。
【請求項４】
前記プリント基板を、前記エンドキャップにおける前記モータハウジング内に対向する内側部に固定したことを特徴とする請求項１〜３のいずれかに記載の直流モータ。
【請求項５】
前記プリント基板に、前記ブラシと前記プリント基板とを電気的に接続するための電線が挿通可能な開口部を設けたことを特徴とする請求項１〜４のいずれかに記載の直流モータ。
【発明の詳細な説明】
【技術分野】
【０００１】
本発明は、特にノイズを抑制するノイズ防止回路を実装したプリント基板を備えた直流モータに関する。
【背景技術】
【０００２】
従来の直流モータにおいては、モータハウジングの一端部に取り付けられるブラシホルダ部に、ブラシを摺動自在に遊嵌し、このブラシを、回転軸と一体に回転する整流子の外周面に、弾性的に押接するようにしている（例えば、特許文献１参照）。
【０００３】
また、回転軸の回転中、ブラシと整流子との通電部分から発生するノイズが、他の回路へ悪影響を与えないように、ノイズ防止回路を実装したプリント基板を備えているものもある（例えば、特許文献２参照）。
【特許文献１】特開平１０−２０１１８３号公報
【特許文献２】特開平７−１３５７５２号公報
【発明の開示】
【発明が解決しようとする課題】
【０００４】
しかし、上述の特許文献１に記載された直流モータにおいては、回転軸の回転に伴って、ブラシと整流子との間の摺動抵抗や整流子の凹凸等の影響によって、ブラシがブラシホルダ部から脱落しないように、ブラシホルダ部を、放射方向へ貫通した長方形の筒形状としているため、ブラシのブラシホルダ部への組付けが面倒であるとともに、ブラシホルダ部の構造が複雑になる問題がある。
【０００５】
特許文献２に記載された直流モータにおいては、ノイズ防止回路がプリント基板と共にモータハウジングの外側に装着されるため、モータ自体の外部寸法、特に回転軸の軸線方向の寸法が大きくなる問題がある。
【０００６】
本発明は、上述のような従来の課題に鑑み、ブラシホルダ部の構成を簡単にして、ブラシをブラシホルダ部に確実に保持することができるようにした直流モータを提供することを目的としている。
【課題を解決するための手段】
【０００７】
本発明によると、上記課題は、次のようにして解決される。
（１）一端が開口した筒状のモータハウジングと、前記モータハウジングの一端を閉塞するエンドキャップと、前記モータハウジング内において回転軸と共に一体に回転する整流子の外周面に弾性的に接触するブラシと、ノイズを抑制するノイズ防止回路を実装したプリント基板を備えた直流モータにおいて、前記エンドキャップに、前記ブラシを摺動自在に保持するための前記モータハウジングの内部を向く側が開口した溝状のブラシホルダ部を設けるとともに、前記プリント基板を、その平面が前記回転軸の軸線方向と直交し、かつその平面にブラシホルダ部に摺動自在に保持された前記ブラシが摺接し得るように、前記モータハウジング内に配置する。
【０００８】
（２）上記(１)項において、前記プリント基板に、前記整流子が前記回転軸と共に貫通する円形の開口部を設けるとともに、前記ノイズ防止回路を、前記整流子の周辺に配置する。
【０００９】
（３）上記(１)または(２)項において、前記プリント基板の前記ブラシに対向する平面に、前記ノイズ防止回路及びプリント配線を一切設けない。
【００１０】
（４）上記(１)〜(３)項のいずれかにおいて、前記プリント基板を、前記エンドキャップにおける前記モータハウジング内に対向する内側部に固定する。
【００１１】
（５）上記(１)〜(４)項のいずれかにおいて、前記プリント基板に、前記ブラシと前記プリント基板とを電気的に接続するための電線が挿通可能な開口部を設ける。
【発明の効果】
【００１２】
本発明によると、次のような効果を奏することができる。
請求項１記載の発明によると、ブラシホルダ部の構成を簡単にして、ブラシをブラシホルダ部に確実に保持することができるとともに、ノイズ防止回路を実装したプリント基板をモータハウジング内に設けたため、直流モータの小型化を図ることができる。
【００１３】
請求項２記載の発明によると、プリント基板を分割することなく、モータハウジング内における整流子の周囲に配置することができるとともに、ノイズ防止回路を、整流子の周辺、すなわち整流子とブラシとの通電部分の近傍に配置することができ、ノイズを効果的に除去することができる。
【００１４】
請求項３記載の発明によると、ブラシがノイズ防止回路やプリント配線に干渉することがないため、ブラシの摺動を円滑にし、かつノイズ防止回路やプリント配線の破損を防止することができる。
【００１５】
請求項４記載の発明によると、プリント基板をモータハウジング内に確実に保持することができる。
【００１６】
請求項５記載の発明によると、ブラシとプリント基板を、電線を介して簡単に電気的に接続することができる。
【発明を実施するための最良の形態】
【００１７】
図１は、直流モータ１の要部の縦断面図、図２は、図１におけるII−II線縦断面図である。なお、図１における左右を「左右」とし、図２における左右を「前後」とする。
【００１８】
直流モータ１は、前端側が閉じられ、後端側が開口している筒状をした鉄等の金属製で形成されたモータハウジング２と、モータハウジング２の後端側を閉塞する合成樹脂製のエンドキャップ３と、モータハウジング２内に枢支された回転軸４と共に一体に回転する整流子５と、整流子５の外周面に弾性的に押圧される２個のブラシ６と、ブラシ６と整流子５との通電部分から発生するノイズを抑制するノイズ防止回路を構成する後述の電気部品を実装したプリント基板７等を備えて構成されている。
【００１９】
モータハウジング２の内周面には、永久磁石(図示略)が取り付けられて、モータハウジング２と永久磁石とでステータを構成している。
【００２０】
回転軸４の前端部は、モータハウジング２の前端側に軸受(図示略)を介して回転可能に枢支され、また同じく後端部は、エンドキャップ３の中央部に設けられたボス部３１に軸受８を介して枢支されている。
【００２１】
回転軸４には、鉄心に巻線を施した電機子(図示略)が取り付けられ、電機子の巻き線を整流子５に電気的に接続することにより、整流子５、回転軸４及び電機子は、モータハウジング２内に収容されるロータを構成する。
【００２２】
エンドキャップ３は、合成樹脂材により一体成型されるとともに、その前面、すなわちモータハウジング２の内部を向く内側面には、ブラシ６を摺動自在に保持するためのブラシホルダ部９、９が一体的に形成されている。さらにエンドキャップ３の内側面には、ブラシ６、６と、ブラシ６、６を整流子５の外周面へ向けて付勢するスプリング１０、１０と、ノイズ防止回路を実装したプリント基板７が組み付けられている。エンドキャップ３の外側上部には、電源に電気的に接続される端子３３が設けられたコネクタ部３２が設けられ、電源は、端子３３、プリント基板７に実装された電気部品を介して、ブラシ６に供給される。
【００２３】
ブラシ６、６、スプリング１０、１０及びプリント基板７は、エンドキャップ３をモータハウジング２に取り付ける前、予めエンドキャップ３に組み付けられる。
【００２４】
なお、下方、右方のブラシ６、ブラシホルダ部９及びその近傍は、同一形状であるので、以下、下方におけるもののみについて説明する。
【００２５】
ブラシホルダ部９は、放射方向へ延出し、かつ前方を向く摺動面９１の左右両側に、前方へ突出する左右１対の側壁９２、９２を設けてなる、モータハウジング２の内部を向く側が開口した横断面形状ほぼコ字状の溝状をなしている。これにより、ブラシホルダ部９を溝状の簡単な構成にして、ブラシ６をエンドキャップ３の前側からブラシホルダ部９に簡単に組み付けることができる。
【００２６】
ブラシ６は、先端部が整流子５の外周面に摺接し得るように、ブラシホルダ部９の両側壁９２、９２間に摺動自在に遊嵌されるとともに、その後面が摺動面９１に摺動自在に接触し、かつ前面が後述のようにエンドキャップ３に固定されるプリント基板７の後側の平面に摺接可能に抑えられる。
【００２７】
上述のように、ブラシ６を、プリント基板７とブラシホルダ部９との間に摺動自在に挟持することにより、回転軸４の回転に伴って、ブラシ６と整流子５との摺動抵抗や整流子５の凹凸の影響等によって、ブラシ６に対してブラシホルダ部９から脱落する方向（前方）の振動や衝撃が加わっても、その方向のブラシ６の動きは、プリント基板７に抑えられるため、ブラシ６をブラシホルダ部９に確実に保持することができる。
【００２８】
ブラシ６の頭部寄りの前面には、プリント基板７に電気的に接続され、ブラシ６へ電流を供給する柔軟性の電線から構成されるピグテール１１が植設されている。
【００２９】
プリント基板７は、その平面が回転軸４の軸線方向（前後方向）と直交し、かつブラシ６の前面がその後側の平面に摺接し得るように、モータハウジング２内におけるエンドキャップ３の前面に固定される。具体的には、エンドキャップ３の前面に設けた前方へ突出する突部３４、３４を、プリント基板７に設けた取付孔７３、７３に嵌合して、その前端部をかしめることによって、プリント基板７はエンドキャップ３に固定される。
【００３０】
プリント基板７には、コンデンサ１２、ダイオード１３、抵抗器１４、２個のチョークコイル１５等を含むノイズ防止回路、過電流を制限する過電流制限素子１６、及び回転軸４の回転数を検出するホール素子１７等の電気部品が実装される。なお、ノイズ防止回路を含む全ての電気部品及びプリント配線は、整流子５の周辺に位置し、かつブラシ６、６の前面に対向する領域外に設けられる。すなわち、プリント基板７のブラシ６、６に対向する平面には、ノイズ防止回路を含む全ての電気部品及びプリント配線を一切設けないようにしている。なお、ノイズ防止回路は、本実施形態に特定されるものでなく、周知の技術に基づいて種々変更可能である。
【００３１】
プリント基板７の中央には、整流子５が回転軸４と共に貫通する円形の開口７１が設けられている。これにより、プリント基板７を、分割することなくモータハウジング２内における整流子７の周囲に配置して、ノイズ防止回路を整流子７の周辺近傍に設けることができる。また、プリント基板７におけるブラシ６の前面に対向する領域の一部には、ピグテール１１が挿通可能な開口部７２が設けられている。これにより、ピグテール７１を開口部７２に通して、ブラシ６とプリント基板７を簡単に電気的に接続することができる。
【００３２】
上述のように、ノイズ防止回路をプリント基板７と共に、モータハウジング内２内に設けたことにより、モータ１の小型化、特に、軸線方向の長さを短縮することができる。また、ノイズ防止回路を整流子５の周辺、すなわち整流子５とブラシ６との通電部分の近傍に配置したことにより、ブラシ６と整流子５の通電部分から発生するノイズを効果的に除去することができる。さらには、電気部品及びプリント配線を、プリント基板７のブラシ６、６の前面に対向する領域外に設けたことにより、ブラシ６がノイズ防止回路やプリント配線に干渉することがないため、ブラシ６の摺動を円滑にし、かつノイズ防止回路やプリント配線の破損を防止することができる。
【図面の簡単な説明】
【００３３】
【図１】本発明の一実施形態を適用したモータの縦断面図である。
【図２】図１におけるII−II線縦断面図である。
【符号の説明】
【００３４】
１  直流モータ
２  モータハウジング
３  エンドキャップ
４  回転軸
５  整流子
６  ブラシ
７  プリント基板
８  軸受
９  ブラシホルダ部
１０  スプリング
１１  ピグテール（電線）
１２  コンデンサ（ノイズ防止回路）
１３  ダイオード（ノイズ防止回路）
１４  抵抗器（ノイズ防止回路）
１５  チョークコイル（ノイズ防止回路）
１６  過電流制限素子
１７  ホール素子
３１  ボス部
３２  コネクタ部
３３  端子
３４  突部
７１  開口部
７２  開口部
７３  取付孔
９１  摺動面
９２  側壁
【図１】
2008178249.tif 000003
【図２】
2008178249.tif 000004